(57)【要約】ある特定の態様は、異種ネットワーク（ＨｅｔＮｅｔ）内においてセル範囲拡張（ＣＲＥ）を避けるおよび／または免れるための方法および装置に関する。ユーザ機器（ＵＥ）は、ＵＥが第１の電力クラスタイプの第１のセルから第２の電力クラスタイプの第２のセルにハンドオーバされうるセル範囲拡張（ＣＲＥ）の領域内にＵＥが存在する間に１つまたは複数の条件の発生を検出しえ、第２の電力クラスタイプは、第１の電力クラスタイプよりも低い。ＵＥは、検出に応答して第２のセルによってサービングされることを停止する、または第２のセルにハンドオーバされることを避けるために行動を取りうる。【選択図】図９
2016530813.tif 000002
【特許請求の範囲】
【請求項１】
ユーザ機器（ＵＥ）によるワイヤレス通信のための方法であって、
前記ＵＥが第１の電力クラスタイプの第１のセルから第２の電力クラスタイプの第２のセルにハンドオーバされうるセル範囲拡張（ＣＲＥ）の領域内に前記ＵＥが存在する間に１つまたは複数の条件の前記発生を検出することと、ここにおいて、前記第２の電力クラスタイプは、前記第１の電力クラスタイプよりも低く、
前記検出に応答して前記第２のセルによって前記第２のセルにハンドオーバされることを避けること、または、前記第２のセルによりサービングされることを停止するために行動を取ることと、
を備える、方法。
【請求項２】
１つまたは複数の条件の前記発生を検出することは、しきい値を上回る前記ＵＥのモビリティを検出することを備える、請求項１に記載の方法。
【請求項３】
１つまたは複数の条件の前記発生を検出することは、しきい値を上回る前記第２のセル及び前記第１のセルの間での相対的タイミングオフセット、またはしきい値を上回る前記第２および第１のセルの間での相対的周波数オフセットのうちの少なくとも１つを検出することを備える、請求項１に記載の方法。
【請求項４】
１つまたは複数の条件の前記発生を検出することは、前記ＵＥの電力制限又は処理のうちの少なくとも１つに関連する条件を検出することを備える、請求項１に記載の方法。
【請求項５】
前記ＵＥの電力制限又は処理のうちの少なくとも１つに関連する条件を検出することは、前記ＵＥが遅延センシティブタスクをハンドリングしていることを検出することを含む、請求項４に記載の方法。
【請求項６】
１つまたは複数の条件の前記発生を検出することは、しきい値を下回る無線リンクモニタリング（ＲＬＭ）信号対雑音比（ＳＮＲ）を検出することを備える、請求項１に記載の方法。
【請求項７】
行動を取ることは、前記第２のセルに関する人為的に低いＲＳＲＰをレポートすること、または前記第２のセルに関する人為的に低いＲＳＲＱをレポートすることのうちの少なくとも１つを備える、請求項１に記載の方法。
【請求項８】
行動を取ることは、前記第２のセルの測定値をレポートすることを控えることを備える、請求項１に記載の方法。
【請求項９】
行動を取ることは、前記第２のセル内において無線リンク障害（ＲＬＦ）プロシージャを開始することを備える、請求項１に記載の方法。
【請求項１０】
行動を取ることは、前記第２のセル内において無線リソース制御（ＲＲＣ）アイドル状態に入ることを備える、請求項１に記載の方法。
【請求項１１】
ユーザ機器（ＵＥ）によるワイヤレス通信のための装置であって、
前記ＵＥが第１の電力クラスタイプの第１のセルから第２の電力クラスタイプの第２のセルにハンドオーバされうるセル範囲拡張（ＣＲＥ）の領域内に、前記ＵＥが存在する間に１つまたは複数の条件の前記発生を検出するための手段と、ここにおいて、前記第２の電力クラスタイプは、前記第１の電力クラスタイプよりも低く、
前記検出に応答して前記第２のセルにハンドオーバされることを避ける、または前記第２のセルによってサービングされることを停止する、ために行動を取るための手段と
を備える、装置。
【請求項１２】
１つまたは複数の条件の前記発生を前記検出するための手段は、しきい値を上回る前記ＵＥのモビリティを検出するための手段を備える、請求項１１に記載の装置。
【請求項１３】
１つまたは複数の条件の前記発生を前記検出するための手段は、しきい値を上回る前記第１および第２のセルの間での相対的周波数オフセットを検出するための手段と、しきい値を上回る前記第１および第２のセルの間での相対的タイミングオフセットを検出するための手段、のうちの少なくとも１つを備える、請求項１１に記載の装置。
【請求項１４】
１つまたは複数の条件の前記発生を前記検出するための手段は、前記ＵＥの電力制限又は処理のうちの少なくとも１つに関連する条件を検出するための手段を備える、請求項１１に記載の装置。
【請求項１５】
前記ＵＥの電力制限または処理のうちの少なくとも１つに関連する条件を前記検出するための手段は、前記ＵＥが遅延センシティブタスクをハンドリングしていることを検出するように構成される、請求項１４に記載の装置。
【請求項１６】
１つまたは複数の条件の前記発生を前記検出するための手段は、しきい値を下回る無線リンクモニタリング（ＲＬＭ）信号対雑音比（ＳＮＲ）を検出するための手段を備える、請求項１１に記載の装置。
【請求項１７】
前記行動を取るための手段は、前記第２のセルに関する人為的に低いＲＳＲＱをレポートするための手段、または前記第２のセルに関する人為的に低いＲＳＲＰをレポートするための手段、またはのうちの少なくとも１つを備える、請求項１１に記載の装置。
【請求項１８】
前記行動を取るための手段は、前記第２のセルの測定値をレポートすることを控えるための手段を備える、請求項１１に記載の装置。
【請求項１９】
前記行動を取るための手段は、前記第２のセル内において無線リンク障害（ＲＬＦ）プロシージャを開始するための手段を備える、請求項１１に記載の装置。
【請求項２０】
前記行動を取るための手段は、前記第２のセル内において無線リソース制御（ＲＲＣ）アイドル状態に入るための手段を備える、請求項１１に記載の装置。
【請求項２１】
ユーザ機器（ＵＥ）によるワイヤレス通信のためのコンピュータ可読媒体であって、
前記ＵＥが第１の電力クラスタイプの第１のセルから第２の電力クラスタイプの第２のセルにハンドオーバされうるセル範囲拡張（ＣＲＥ）の領域内に、前記ＵＥが存在する間に１つまたは複数の条件の前記発生を検出することと、ここにおいて、前記第２の電力クラスタイプは、前記第１の電力クラスタイプよりも低い、および
前記検出に応答して前記第２のセルにハンドオーバされることを避けるために、又は前記第２のセルによってサービングされることを停止するために、行動を取ることと、
を行うために１つまたは複数のプロセッサによって実行可能な命令を備える、コンピュータ可読媒体。
【請求項２２】
１つまたは複数の条件の前記発生を前記検出するための命令は、しきい値を上回る前記ＵＥのモビリティを検出するための命令を備える、請求項２１に記載のコンピュータ可読媒体。
【請求項２３】
１つまたは複数の条件の前記発生を前記検出するための命令は、しきい値を上回る前記第１および第２のセルの間での相対的な周波数オフセットを、又はしきい値を上回る前記第１および第２のセルの間での相対的タイミングオフセットのうちの少なくとも１つを検出するための命令を備える、請求項２１に記載のコンピュータ可読媒体。
【請求項２４】
１つまたは複数の条件の前記発生を検出するための前記命令は、前記ＵＥの電力制限または処理のうちの少なくとも１つに関連する条件を検出するための命令を備える、請求項２１に記載のコンピュータ可読媒体。
【請求項２５】
前記行動を取るための命令は、前記第２のセル内において無線リソース制御（ＲＲＣ）アイドル状態に入るための命令を備える、請求項２１に記載のコンピュータ可読媒体。
【請求項２６】
１つまたは複数の条件の前記発生を前記検出するための命令は、しきい値を下回る無線リンクモニタリング（ＲＬＭ）信号対雑音比（ＳＮＲ）を検出するための命令を備える、請求項２１に記載のコンピュータ可読媒体。
【請求項２７】
前記行動を取るための命令は、前記第２のセルに関する人為的に低いＲＳＲＱをレポートすること、または前記第２のセルに関する人為的に低いＲＳＲＰをレポートすること、うちの少なくとも１つのための命令を備える、請求項２１に記載のコンピュータ可読媒体。
【請求項２８】
前記行動を取るための命令は、前記第２のセルの測定値をレポートすることを控えるための命令を備える、請求項２１に記載のコンピュータ可読媒体。
【請求項２９】
前記行動を取るための命令は、前記第２のセル内において無線リンク障害（ＲＬＦ）プロシージャを開始するための命令を備える、請求項２１に記載のコンピュータ可読媒体。
【請求項３０】
ユーザ機器（ＵＥ）によるワイヤレス通信のための装置であって、
前記ＵＥが第１の電力クラスタイプの第１のセルから第２の電力クラスタイプの第２のセルにハンドオーバされうるセル範囲拡張（ＣＲＥ）の領域内に、前記ＵＥが存在する間に、１つまたは複数の条件の前記発生を検出することと、ここにおいて、前記第２の電力クラスタイプは、前記第１の電力クラスタイプよりも低く、
前記検出に応答して、前記第２のセルにハンドオーバされることを避けるために、または前記第２のセルによってサービングされることを停止するために行動を取ることと、
を行うように構成された少なくとも１つのプロセッサと、および
前記少なくとも１つのプロセッサに結合されたメモリと
を備える、装置。
【発明の詳細な説明】
【米国特許法第１１９条に基づく優先権の主張】
【０００１】
[0001]本特許出願は、本願の譲受人に譲渡され、本願明細書に参照によって明確に組み込まれる、２０１３年８月１４日に出願された「METHODS AND APPARATUS FOR AVOIDING OR ESCAPING CELL RANGE EXPANSION (CRE) IN A HETEROGENEOUS NETWORK」と題された米国仮特許出願第６１／８６５,６８８号に対する優先権を主張する。
【技術分野】
【０００２】
[0002]本開示のある特定の態様は概して、ワイヤレス通信に関し、より具体的には、異種ネットワーク内において干渉を低減させる（例えば、異種ネットワーク内においてセル範囲拡張（ＣＲＥ：cell range expansion）を避けるまたは免れる）ための方法および装置に関する。
【背景技術】
【０００３】
[0003]ワイヤレス通信ネットワークは、音声、映像、パケットデータ、メッセージング、ブロードキャスト、等のような様々な通信サービスを提供するために広く展開されている。これらのワイヤレスネットワークは、利用可能なネットワークリソースを共有することによって多数のユーザをサポートすることが可能である多元接続ネットワークでありうる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信ネットワークは、多数のユーザ機器（ＵＥ）のための通信をサポートすることができる多数の基地局を含みうる。ＵＥは、ダウンリンクおよびアップリンクを介して基地局と通信しうる。ダウンリンク（すなわち順方向リンク）は、基地局からＵＥへの通信リンクを指し、アップリンク（すなわち逆方向リンク）は、ＵＥから基地局への通信リンクを指す。
【０００５】
[0005]基地局は、ＵＥにダウンリンク上においてデータおよび制御情報を送信し、および／または、ＵＥからアップリンク上においてデータおよび制御情報を受信しうる。ダウンリンク上において、基地局からの送信は、１つまたは複数の近隣基地局からの送信に起因する干渉を観測しうる。アップリンク上において、ＵＥからの送信は、１つまたは複数の近隣基地局と通信する１つまたは複数の他のＵＥからの送信に対して干渉を引き起こしうる。干渉は、ダウンリンクおよびアップリンクの両方において性能を低下させうる。
【発明の概要】
【０００６】
[0006]本開示のある特定の態様は、ユーザ機器（ＵＥ）によるワイヤレス通信のための方法を提供する。方法は概して、ＵＥが第１の電力クラスタイプの第１のセルから第２の電力クラスタイプの第２のセルにハンドオーバされうるセル範囲拡張（ＣＲＥ）の領域内にＵＥが存在する間に１つまたは複数の条件の発生を検出することと、ここにおいて、第２の電力クラスタイプは、第１の電力クラスタイプよりも低い、検出に応答して第２のセルによってサービングされることを停止する、または第２のセルにハンドオーバされることを避けるために行動を取ることとを含む。
【０００７】
[0007]本開示のある特定の態様は、ユーザ機器（ＵＥ）によるワイヤレス通信のための装置を提供する。装置は概して、ＵＥが第１の電力クラスタイプの第１のセルから第２の電力クラスタイプの第２のセルにハンドオーバされうるセル範囲拡張（ＣＲＥ）の領域内にＵＥが存在する間に１つまたは複数の条件の発生を検出するための手段と、ここにおいて、第２の電力クラスタイプは、第１の電力クラスタイプよりも低い、検出に応答して第２のセルによってサービングされることを停止する、または第２のセルにハンドオーバされることを避けるために行動を取るための手段とを含む。
【０００８】
[0008]本開示のある特定の態様は、ユーザ機器（ＵＥ）によるワイヤレス通信のためのコンピュータ可読媒体を提供する。コンピュータ可読媒体は概して、ＵＥが第１の電力クラスタイプの第１のセルから第２の電力クラスタイプの第２のセルにハンドオーバされうるセル範囲拡張（ＣＲＥ）の領域内にＵＥが存在する間に１つまたは複数の条件の発生を検出することと、ここにおいて、第２の電力クラスタイプは、第１の電力クラスタイプよりも低い、検出に応答して第２のセルによってサービングされることを停止する、または第２のセルにハンドオーバされることを避けるために行動を取ることとを行うために１つまたは複数のプロセッサによって実行可能な命令を含む。
【０００９】
[0009]本開示のある特定の態様は、ユーザ機器（ＵＥ）によるワイヤレス通信のための装置を提供する。装置は概して、ＵＥが第１の電力クラスタイプの第１のセルから第２の電力クラスタイプの第２のセルにハンドオーバされうるセル範囲拡張（ＣＲＥ）の領域内にＵＥが存在する間に１つまたは複数の条件の発生を検出することと、ここにおいて、第２の電力クラスタイプは、第１の電力クラスタイプよりも低い、検出に応答して第２のセルによってサービングされることを停止する、または第２のセルにハンドオーバされることを避けるために行動を取ることとを行うように構成された少なくとも１つのプロセッサを含む。
【００１０】
[0010]装置、システムおよびコンピュータプログラム製品を含む、数多くの他の態様が提供される。本開示の様々な態様および特徴が、以下においてさらに詳細に説明される。
【図面の簡単な説明】
【００１１】
【図１】本開示のある特定の態様にしたがってワイヤレス通信ネットワークの例を概念的に例示するブロック図である。
【図２】本開示のある特定の態様にしたがってワイヤレス通信ネットワーク内におけるフレーム構造の例を概念的に例示するブロック図である。
【図２Ａ】本開示のある特定の態様にしたがってロングタームエボリューション（ＬＴＥ）におけるアップリンクのための実例的なフォーマットを示す。
【図３】本開示のある特定の態様にしたがってワイヤレス通信ネットワーク内におけるユーザ機器デバイス（ＵＥ）と通信する拡張ノードＢの例を概念的に例示するブロック図を示す。
【図４】本開示のある特定の態様にしたがって実例的な異種ネットワークを例示する。
【図５】本開示のある特定の態様にしたがって異種ネットワーク内における実例的なリソース区分を例示する。
【図６】本開示のある特定の態様にしたがって異種ネットワーク内におけるサブフレームの実例的な協調区分を例示する。
【図７】異種ネットワーク内における範囲が拡張されたセルラ領域を例示する図である。
【図８】本開示のある特定の態様にしたがって、セル範囲拡張を避けるおよび／または免れるために、ＵＥによって遂行されうる実例的な動作を例示する。
【図９】本開示のある特定の態様にしたがって、回避をインプリメントするおよび／またはセル範囲拡張を免れるための実例的なシステムを例示する。
【詳細な説明】
【００１２】
[0021]本明細書において説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに対して使用されうる。「ネットワーク」および「システム」という用語は、交換可能に使用されることが多い。ＣＤＭＡネットワークは、ユニバーサル地上無線アクセス（ＵＴＲＡ）、ｃｄｍａ２０００、等のような無線技術をインプリメントしうる。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５およびＩＳ−８５６規格をカバーする。ＴＤＭＡネットワークは、移動体通信のためのグローバルシステム（ＧＳＭ（登録商標））のような無線技術をインプリメントしうる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）、等のような無線技術をインプリメントしうる。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭ（登録商標）は、「第３世代パートナーシッププロジェクト」（３ＧＰＰ）という名称の団体からの文書内において説明されている。ｃｄｍａ２０００およびＵＭＢは、「第３世代パートナーシッププロジェクト２」（３ＧＰＰ２）という名称の団体からの文書内において説明されている。本明細書において説明される技法は、上述されたワイヤレスネットワークおよび無線技術ならびに他のワイヤレスネットワークおよび無線技術に対して使用されうる。明確さのために、技法のある特定の態様は、ＬＴＥに関して以下において説明され、ＬＴＥの専門用語が以下の説明の大部分において使用される。
実例的なワイヤレスネットワーク
【００１３】
[0022]図１は、ワイヤレス通信ネットワーク１００を示すが、それはＬＴＥネットワークでありうる。ワイヤレスネットワーク１００は、多数の発展型ノードＢ（ｅＮＢ）１１０および他のネットワークエンティティを含みうる。ｅＮＢは、ユーザ機器デバイス（ＵＥ）と通信する局であり、基地局、ノードＢ、アクセスポイント、等とも呼ばれうる。各ｅＮＢ１１０は、特定の地理的エリアに対して通信カバレッジを提供しうる。「セル」という用語は、この用語が使用されるコンテキストに依存して、ｅＮＢのカバレッジエリアおよび／またはこのカバレッジエリアにサービングするｅＮＢサブシステムを指すことができる。
【００１４】
[0023]ｅＮＢは、マクロセル、ピコセル、フェムトセル、および／または他のタイプのセルに対して通信カバレッジを提供しうる。マクロセルは、比較的大きい地理的エリア（例えば、半径数キロメートル）をカバーし、サービスに加入しているＵＥによる無制限のアクセスを可能にしうる。ピコセルは、比較的小さい地理的エリアをカバーし、サービスに加入しているＵＥによる無制限のアクセスを可能にしうる。フェムトセルは、比較的小さい地理的エリア（例えば、家）をカバーし、このフェムトセルとの関連付けを有するＵＥ（例えば、クローズド加入者グループ（ＣＳＧ）内におけるＵＥ、家の中にいるユーザのためのＵＥ、等）による制限されたアクセスを可能にしうる。マクロセルのためのｅＮＢは、マクロｅＮＢと呼ばれうる。ピコセルのためのｅＮＢは、ピコｅＮＢと呼ばれうる。フェムトセルのためのｅＮＢは、フェムトｅＮＢまたはホームｅＮＢと呼ばれうる。図１内に示された例において、ｅＮＢ１１０ａ、１１０ｂ、および１１０ｃは、それぞれ、マクロセル１０２ａ、１０２ｂ、および１０２ｃのためのマクロｅＮＢでありうる。ｅＮＢ１１０ｘは、ピコセル１０２ｘのためのピコｅＮＢでありうる。ｅＮＢ１１０ｙおよび１１０ｚは、それぞれ、フェムトセル１０２ｙおよび１０２ｚのためのフェムトｅＮＢでありうる。ｅＮＢは、１つまたは多数（例えば、３つ）のセルをサポートしうる。
【００１５】
[0024]ワイヤレスネットワーク１００はまた、中継局を含みうる。中継局は、アップストリーム局（例えば、ｅＮＢまたはＵＥ）からデータおよび／または他の情報の送信を受信し、ダウンストリーム局（例えば、ＵＥまたはｅＮＢ）にデータおよび／または他の情報の送信を送る局である。中継局はまた、他のＵＥに対する送信を中継するＵＥでありうる。図１内に示された例において、中継局１１０ｒは、ｅＮＢ１１０ａとＵＥ１２０ｒとの間での通信を容易にするためにｅＮＢ１１０ａおよびＵＥ１２０ｒと通信しうる。中継局はまた、中継ｅＮＢ、リレー、等と呼ばれうる。
【００１６】
[0025]ワイヤレスネットワーク１００は、異なるタイプのｅＮＢ、例えば、マクロｅＮＢ、ピコｅＮＢ、フェムトｅＮＢ、リレー、等を含む異種ネットワークでありうる。これらの異なるタイプのｅＮＢは、ワイヤレスネットワーク１００内において、異なる送信電力レベル、異なるカバレッジエリア、および干渉に対する異なる影響を有しうる。例えば、マクロｅＮＢが高い送信電力レベル（例えば、２０ワット）を有しうるのに対して、ピコｅＮＢ、フェムトｅＮＢ、およびリレーは、より低い送信電力レベル（例えば、１ワット）を有しうる。
【００１７】
[0026]ワイヤレスネットワーク１００は、同期または非同期動作をサポートしうる。同期動作の場合、ｅＮＢは、同様のフレームタイミングを有し、異なるｅＮＢからの送信は、時間的にほぼアライン（approximately aligned in time）されうる。非同期動作の場合、ｅＮＢは、異なるフレームタイミングを有し、異なるｅＮＢからの送信は、時間的にアラインされない可能性がある。本明細書において説明される技法は、同期および非同期動作の両方に対して使用されうる。
【００１８】
[0027]ネットワークコントローラ１３０は、ｅＮＢのセットに結合し、これらのｅＮＢに対して協調および制御を提供しうる。ネットワークコントローラ１３０は、バックホールを介してｅＮＢ１１０と通信しうる。ｅＮＢ１１０はまた、例えば、ワイヤレスまたはワイヤラインバックホールを介して直接または間接的に互いに通信しうる。
【００１９】
[0028]ＵＥ１２０は、ワイヤレスネットワーク１００全体を通して分散され、各ＵＥは、固定式または移動式でありうる。ＵＥはまた、端末、移動局、加入者ユニット、局、等と呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、等でありうる。ＵＥは、マクロｅＮＢ、ピコｅＮＢ、フェムトｅＮＢ、リレー、等と通信することができうる。図１において、両矢印を有する実線は、ＵＥとサービングｅＮＢとの間での所望の送信を示し、サービングｅＮＢは、ダウンリンクおよび／またはアップリンク上においてＵＥにサービングするように指定されたｅＮＢである。両矢印を有する破線は、ＵＥとｅＮＢとの間での干渉する送信を示す。
【００２０】
[0029]ＬＴＥは、ダウンリンク上において直交周波数分割多重化（ＯＦＤＭ）を、アップリンク上においてシングルキャリア周波数分割多重化（ＳＣ−ＦＤＭ）を利用する。ＯＦＤＭおよびＳＣ−ＦＤＭは、システム帯域幅を多数（Ｋ個）の直交サブキャリアに区分し、直交サブキャリアは一般に、トーン、ビン、等とも呼ばれる。各サブキャリアは、データで変調されうる。概して、変調シンボルは、周波数ドメイン内においてＯＦＤＭで、時間ドメイン内においてＳＣ−ＦＤＭで送られる。隣接サブキャリア間の間隔は固定され、サブキャリアの総数（Ｋ個）は、システム帯域幅に依存しうる。例えば、Ｋは、１．２５、２．５、５、１０、または２０メガヘルツ（ＭＨｚ）のシステム帯域幅に対して、それぞれ、１２８、２５６、５１２、１０２４、または２０４８に等しくなりうる。システム帯域幅はまた、サブバンドに区分されうる。例えば、サブバンドは、１．０８ＭＨｚをカバーし、１．２５、２．５、５、１０、または２０ＭＨｚのシステム帯域幅に対して、それぞれ、１、２、４、８、または１６個のサブバンドが存在しうる。
【００２１】
[0030]ＵＥは、多数のｅＮＢのカバレッジ内に存在しうる。これらのｅＮＢのうちの１つは、ＵＥにサービングするために選択されうる。サービングｅＮＢは、例えば、受信電力、受信品質、パス損失、信号対雑音比（ＳＮＲ）、等のような様々な基準に基づいて選択されうる。
【００２２】
[0031]ＵＥは、ＵＥが１つまたは複数の干渉するｅＮＢからの高い干渉を観測しうる、支配的な干渉シナリオ内において動作しうる。支配的な干渉シナリオは、制限された関連付けに起因して生じうる。例えば、図１内において、ＵＥ１２０ｙは、フェムトｅＮＢ１１０ｙの近くにあり、ｅＮＢ１１０ｙに対して高い受信電力を有しうる。しかしながら、ＵＥ１２０ｙは、制限された関連付けに起因してフェムトｅＮＢ１１０ｙにアクセスすることができない可能性があり、その後、（図１内において示すように）より低い受信電力を有するマクロｅＮＢ１１０ｃにまたは同じくより低い受信電力を有するフェムトｅＮＢ１１０ｚに接続しうる。ＵＥ１２０ｙは、その後、ダウンリンク上においてフェムトｅＮＢ１１０ｙからの高い干渉を観測し、また、アップリンク上においてｅＮＢ１１０ｙに対して高い干渉を引き起こしうる。
【００２３】
[0032]支配的な干渉シナリオはまた、範囲拡張に起因して生じうるが、それは、ＵＥが、ＵＥによって検出された全てのｅＮＢの中でより低いパス損失とより低いＳＮＲとを有するｅＮＢに接続するシナリオである。例えば、図１内において、ＵＥ１２０ｘは、マクロｅＮＢ１１０ｂおよびピコｅＮＢ１１０ｘを検出し、ｅＮＢ１１０ｘに対してｅＮＢ１１０ｂよりも低い受信電力を有しうる。それにもかかわらず、ｅＮＢ１１０ｘのためのパス損失がマクロｅＮＢ１１０ｂのためのパス損失よりも低い場合にＵＥ１２０ｘにとってピコｅＮＢ１１０ｘに接続することが望まれうる。これは、ＵＥ１２０ｘのための所与のデータレートに関してワイヤレスネットワークに対するより少ない干渉をもたらしうる。しかしながら、ある特定のケースにおいて、ピコｅＮＢ１１０ｘのセル範囲拡張（ＣＲＥ）領域内に存在する間にピコｅＮＢ１１０ｘによってサービングされることは、それほどの利益を提供せず、実際にはサービス中断につながりうる。本開示のある特定の態様にしたがって、ＵＥ１２０ｘは、高ドップラ、高相対的タイミング／周波数オフセット、処理制限、および／または低バッテリ電力を含むある特定の条件を検出することに応答して、ピコｅＮＢ１１０ｘによってサービングされることを避けうる。これらの態様は、以下において詳細に説明される。
【００２４】
[0033]一態様において、支配的な干渉シナリオ内における通信は、異なるｅＮＢを異なる周波数帯域上において動作させることによってサポートされうる。周波数帯域は、通信に対して使用されうる周波数の範囲であり、（ｉ）中心周波数および帯域幅、または（ｉｉ）より低い周波数およびより高い周波数によって与えられうる。周波数帯域はまた、帯域、周波数チャネル、等と呼ばれうる。異なるｅＮＢのための周波数帯域は、強いｅＮＢがそのＵＥと通信することを可能しながら、ＵＥが支配的な干渉シナリオ内においてより弱いｅＮＢと通信することができるように選択されうる。ｅＮＢは、ＵＥにおいて受信されたｅＮＢからの信号の相対的受信電力に基づいて（例えば、ｅＮＢの送信電力レベルには基づかずに）「弱い」ｅＮＢまたは「強い」ｅＮＢとして分類されうる。
【００２５】
[0034]図２は、ＬＴＥにおいて使用されるフレーム構造を示す。ダウンリンクのための送信タイムラインは、無線フレームの単位に区分されうる。各無線フレームは、所定の持続時間（例えば、１０ミリ秒（ｍｓ））を有し、０〜９のインデックスを有する１０個のサブフレームに区分されうる。各サブフレームは、２つのスロットを含みうる。各無線フレームは、したがって、０〜１９のインデックスを有する２０個のスロットを含みうる。各スロットは、Ｌ個のシンボル期間、例えば、（図２内において示されるように）通常のサイクリックプレフィックスの場合はＬ＝７個のシンボル期間、または拡張されたサイクリックプレフィックスの場合はＬ＝６個のシンボル期間を含みうる。各サブフレーム内における２Ｌ個のシンボル期間は、０〜２Ｌ−１のインデックスを割り当てられうる。利用可能な時間周波数リソースは、リソースブロックに区分されうる。各リソースブロックは、１つのスロット内においてＮ個のサブキャリア（例えば、１２個のサブキャリア）をカバーしうる。
【００２６】
[0035]ＬＴＥにおいて、ｅＮＢは、ｅＮＢ内におけるセルごとにプライマリ同期信号（ＰＳＳ）およびセカンダリ同期信号（ＳＳＳ）を送りうる。プライマリおよびセカンダリ同期信号は、図２内において示されるように、通常のサイクリックプレフィックス（ＣＰ）の場合に各無線フレームのサブフレーム０および５の各々内におけるシンボル期間６および５内において、それぞれ、送られうる。同期信号は、セル検出および獲得のためにＵＥによって使用されうる。ｅＮＢは、サブフレーム０のスロット１内におけるシンボル期間０〜３内において物理ブロードキャストチャネル（ＰＢＣＨ）を送りうる。ＰＢＣＨは、ある特定のシステム情報を搬送しうる。
【００２７】
[0036]ｅＮＢは、図２内において示されるように、各サブフレームの第１のシンボル期間内において物理制御フォーマットインジケータチャネル（ＰＣＦＩＣＨ）を送りうる。ＰＣＦＩＣＨは、制御チャネルに対して使用されるシンボル期間の数（Ｍ個）を伝達し、ここにおいて、Ｍは、１、２または３に等しく、サブフレームごとに変化しうる。Ｍはまた、例えば、１０個未満のリソースブロックを有する、小さなシステム帯域幅の場合、４に等しくなりうる。ｅＮＢは、（図２内において示されないが）各サブフレームの第１のＭ個のシンボル期間内において、物理ＨＡＲＱインジケータチャネル（ＰＨＩＣＨ）および物理ダウンリンク制御チャネル（ＰＤＣＣＨ）を送りうる。ＰＨＩＣＨは、ハイブリッド自動再送要求（ＨＡＲＱ）をサポートするために情報を搬送しうる。ＰＤＣＣＨは、ＵＥに対するリソース割り振りに関する情報と、ダウンリンクチャネルのための制御情報とを搬送しうる。ｅＮＢは、各サブフレームの残りのシンボル期間内において物理ダウンリンク共有チャネル（ＰＤＳＣＨ）を送りうる。ＰＤＳＣＨは、ダウンリンク上におけるデータ送信のためにスケジュールされたＵＥのためのデータを搬送しうる。
【００２８】
[0037]ｅＮＢは、ｅＮＢによって使用されるシステム帯域幅の中心１．０８ＭＨｚ内においてＰＳＳ、ＳＳＳ、およびＰＢＣＨを送りうる。ｅＮＢは、ＰＣＦＩＣＨおよびＰＨＩＣＨを、これらのチャネルが送られる各シンボル期間内において、システム帯域幅全体にわたって送りうる。ｅＮＢは、システム帯域幅のある特定の部分内においてＵＥのグループにＰＤＣＣＨを送りうる。ｅＮＢは、システム帯域幅の特定の部分内において特定のＵＥにＰＤＳＣＨを送りうる。ｅＮＢは、全てのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式でＰＤＣＣＨを送り、また特定のＵＥにユニキャスト方式でＰＤＳＣＨを送りうる。
【００２９】
[0038]多数のリソース要素が、各シンボル期間内において利用可能でありうる。各リソース要素（ＲＥ）は、１つのシンボル期間内において１つのサブキャリアをカバーし、１つの変調シンボルを送るために使用され、それは、実数値または複素数値でありうる。各シンボル期間内において基準信号に対して使用されないリソース要素は、リソース要素グループ（ＲＥＧ）内に配置されうる。各ＲＥＧは、１つのシンボル期間内において４つのリソース要素を含みうる。ＰＣＦＩＣＨは、４つのＲＥＧを占有し、それらは、シンボル期間０内において、周波数にわたってほぼ均等に間隔が空けられうる。ＰＨＩＣＨは、３つのＲＥＧを占有し、それらは、１つまたは複数の構成可能なシンボル期間内において、周波数にわたって拡散されうる。例えば、ＰＨＩＣＨのための３つのＲＥＧは、全てシンボル期間０内に属すか、またはシンボル期間０、１、および２内において拡散されうる。ＰＤＣＣＨは、例えば、最初のＭ個のシンボル期間内において、９、１８、３６、または７２個のＲＥＧを占有し、それらは、利用可能なＲＥＧから選択されうる。ＲＥＧのある特定の組み合わせのみが、ＰＤＣＣＨに対して許可されうる。
【００３０】
[0039]ＵＥは、ＰＨＩＣＨおよびＰＣＦＩＣＨに対して使用される特定のＲＥＧを知りうる。ＵＥは、ＰＤＣＣＨに対するＲＥＧの異なる組み合わせを探索しうる。探索すべき組み合わせの数は典型的に、ＰＤＣＣＨに対して許可される組み合わせの数よりも少ない。ｅＮＢは、ＵＥが探索するであろう組み合わせのいずれかにおいてＵＥにＰＤＣＣＨを送りうる。
【００３１】
[0040]図２Ａは、ＬＴＥにおけるアップリンクのための例証的なフォーマット２００Ａを示す。アップリンクのための利用可能なリソースブロックは、データセクションおよび制御セクションに区分されうる。制御セクションは、システム帯域幅の両端において形成され、構成可能なサイズを有しうる。制御セクション内におけるリソースブロックは、制御情報の送信のためにＵＥに割り当てられうる。データセクションは、制御セクション内において含まれない全てのリソースブロックを含みうる。図２Ａ内における設計は、連続するサブキャリアを含むデータセクションをもたらし、それは、データセクション内における連続するサブキャリアの全てが単一のＵＥに割り当てられることを可能にしうる。
【００３２】
[0041]ＵＥは、ｅＮＢに制御情報を送信するために、制御セクション内におけるリソースブロックを割り当てられうる。ＵＥはまた、ノードＢにデータを送信するために、データセクション内におけるリソースブロックを割り当てられうる。ＵＥは、制御セクション内の割り振られたリソースブロック上における物理アップリンク制御チャネル（ＰＵＣＣＨ）２１０ａ、２１０ｂ内において制御情報を送信しうる。ＵＥは、データセクション内の割り当てられたリソースブロック上における物理アップリンク共有チャネル（ＰＵＳＣＨ）２２０ａ、２２０ｂ内においてデータを、またはデータと制御情報との両方を送信しうる。アップリンク送信は、図２Ａ内において示されるようにサブフレームの両方のスロットにわたり、周波数にわたってホッピングしうる。
【００３３】
[0042]図３は、基地局またはｅＮＢ１１０およびＵＥ１２０の設計のブロック図を示し、それらは、図１内における基地局／ｅＮＢのうちの１つおよびＵＥのうちの１つでありうる。制限された関連付けシナリオの場合、ｅＮＢ１１０は、図１内におけるマクロｅＮＢ１１０ｃであり、ＵＥ１２０は、ＵＥ１２０ｙでありうる。ｅＮＢ１１０はまた、何らかの他のタイプの基地局でありうる。ｅＮＢ１１０は、Ｔ個のアンテナ３３４ａ〜３３４ｔを装備され、ＵＥ１２０は、Ｒ個のアンテナ３５２ａ〜３５２ｒを装備されえ、ここにおいて、概して、Ｔ≧１およびＲ≧１である。
【００３４】
[0043]ｅＮＢ１１０では、送信プロセッサ３２０は、データソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ、等のためのものでありうる。データは、ＰＤＳＣＨ、等のためのものでありうる。送信プロセッサ３２０は、データシンボルおよび制御シンボルを取得するために、データおよび制御情報をそれぞれ処理（例えば、符号化およびシンボルマッピング）しうる。送信プロセッサ３２０はまた、例えば、ＰＳＳ、ＳＳＳ、およびセル固有の基準信号のための基準シンボルを生成しうる。送信（ＴＸ）多入力多出力（ＭＩＭＯ）プロセッサ３３０は、適用可能な場合、データシンボル、制御シンボル、および／または基準シンボルに対して空間処理（例えば、プリコーディング）を遂行し、Ｔ個の変調器（ＭＯＤ）３３２ａ〜３３２ｔにＴ個の出力シンボルストリームを提供しうる。各変調器３３２は、出力サンプルストリームを取得するために（例えば、ＯＦＤＭ、等のための）それぞれの出力シンボルストリームを処理しうる。各変調器３３２はさらに、ダウンリンク信号を取得するために、出力サンプルストリームを処理（例えば、アナログに変換、増幅、フィルタリング、およびアップコンバート）しうる。変調器３３２ａ〜３３２ｔからのＴ個のダウンリンク信号は、それぞれ、Ｔ個のアンテナ３３４ａ〜３３４ｔを介して送信されうる。
【００３５】
[0044]ＵＥ１２０では、アンテナ３５２ａ〜３５２ｒは、ｅＮＢ１１０からダウンリンク信号を受信し、それぞれ、受信された信号を復調器（ＤＥＭＯＤ）３５４ａ〜３５４ｒに提供しうる。各復調器３５４は、入力サンプルを取得するために、それぞれの受信された信号を調整（例えば、フィルタリング、増幅、ダウンコンバート、およびデジタル化）しうる。各復調器３５４はさらに、受信されたシンボルを取得するために、（例えば、ＯＦＤＭ、等のための）入力サンプルを処理しうる。ＭＩＭＯ検出器３５６は、全てのＲ個の復調器３５４ａ〜３５４ｒから受信されたシンボルを取得し、適用可能な場合、受信されたシンボルに対してＭＩＭＯ検出を遂行し、検出されたシンボルを提供しうる。受信プロセッサ３５８は、検出されたシンボルを処理（例えば、復調、デインタリーブ、および復号）し、ＵＥ１２０のための復号されたデータをデータシンク３６０に提供し、復号された制御情報をコントローラ／プロセッサ３８０に提供しうる。
【００３６】
[0045]アップリンク上において、ＵＥ１２０では、送信プロセッサ３６４は、データソース３６２から（例えば、ＰＵＳＣＨのための）データを、コントローラ／プロセッサ３８０から（例えば、ＰＵＣＣＨのための）制御情報を受信および処理しうる。送信プロセッサ３６４はまた、基準信号のための基準シンボルを生成しうる。送信プロセッサ３６４からのシンボルは、適用可能な場合にはＴＸ ＭＩＭＯプロセッサ３６６によってプリコーディングされ、さらに（例えば、ＳＣ−ＦＤＭ、等のために）変調器３５４ａ〜３５４ｒによって処理され、ｅＮＢ１１０に送信されうる。ｅＮＢ１１０では、ＵＥ１２０からのアップリンク信号は、ＵＥ１２０によって送られた復号されたデータおよび制御情報を取得するために、アンテナ３３４によって受信され、復調器３３２によって処理され、適用可能な場合にはＭＩＭＯ検出器３３６によって検出され、受信プロセッサ３３８によってさらに処理されうる。受信プロセッサ３３８は、復号されたデータをデータシンク３３９に、復号された制御情報をコントローラ／プロセッサ３４０に提供しうる。
【００３７】
[0046]コントローラ／プロセッサ３４０、３８０は、それぞれ、ｅＮＢ１１０およびＵＥ１２０における動作を指示しうる。ＵＥ１２０におけるコントローラ／プロセッサ３８０および／または他のプロセッサおよびモジュールは、本明細書において説明されるように、より低電力クラスのセル、例えば、ピコセルによってサービングされることを停止する、またはサービングされることを避けるために、図８内におけるブロック８００に関する動作および／または本技法に関する他の処理を遂行または指示しうる。メモリ３４２および３８２は、それぞれ、ＵＥ１２０のためのデータおよびプログラムコードを記憶しうる。スケジューラ３４４は、ダウンリンクおよび／またはアップリンク上におけるデータ送信のためにＵＥをスケジューリングしうる。
実例的なリソース区分
【００３８】
[0047]本開示のある特定の態様によると、ネットワークが拡張セル間干渉協調（ｅＩＣＩＣ：enhanced inter-cell interference coordination）をサポートする場合、基地局は、干渉するセルがそのリソースの一部を断念することによって干渉を低減または除去するためにリソースを協調するよう互いにネゴシエートしうる。ｅＩＣＩＣまたは同様の技法を使用して、ＵＥは、干渉するセルによってもたらされたリソースを使用してサービングセルにアクセスしうるが、ここにおいて、そうでなければＵＥは、厳しい干渉を経験するであろう。
【００３９】
[0048]例えば、オープンマクロセルのカバレッジ内における（例えば、メンバフェムトＵＥのみがセルにアクセスすることができる）クローズドアクセスモードを有するフェムトセルは、マクロセルに対してカバレッジホールを作成することができる。フェムトセルにそのリソースのうちのいくつかを断念させることによって、フェムトセルカバレッジエリア下におけるマクロＵＥは、フェムトセルによってもたらされたリソースを使用することによってＵＥのサービングマクロセルにアクセスすることができる。
【００４０】
[0049]Ｅ−ＵＴＲＡＮのような、ＯＦＤＭを使用する無線アクセスシステムにおいて、干渉するセルによってもたらされたリソースは、時間ベース、周波数ベース、または両方の組み合わせでありうる。もたらされたリソースが時間ベースである場合、干渉するセルは、時間ドメイン内においてサブフレームのうちのいくつかを使用しない。もたらされたリソースが周波数ベースである場合、干渉するセルは、周波数ドメイン内においてサブキャリアのうちのいくつかを使用しない。もたらされたリソースが周波数および時間の両方の組み合わせである場合、干渉するセルは、周波数および時間によって定義されたある特定のリソースを使用しない。
【００４１】
[0050]図４は、途切れていない無線リンク４０２によって例示されるように、マクロＵＥ１２０ｙがフェムトセル１１０ｙからの厳しい干渉を経験している場合でも、ｅＩＣＩＣをサポートするマクロＵＥ１２０ｙ（例えば、図４内において示されたＲｅｌ−１０マクロＵＥ）がマクロセル１１０ｃにアクセスすることをｅＩＣＩＣが可能にしうる実例的なシナリオを例示する。途切れた無線リンク４０４によって例示されるように、レガシマクロＵＥ１２０ｕ（例えば、図４内において示されたＲｅｌ−８マクロＵＥ）は、フェムトセル１１０ｙからの厳しい干渉下においてマクロセル１１０ｃにアクセスすることができない可能性がある。フェムトＵＥ１２０ｖ（例えば、図４内において示されたＲｅｌ−８フェムトＵＥ）は、マクロセル１１０ｃからのいかなる干渉問題もなしにフェムトセル１１０ｙにアクセスしうる。
【００４２】
[0051]ある特定の態様によると、基地局間でのリソース区分は、時間ベースで行われうる。例として、Ｅ−ＵＴＲＡＮの場合、リソースは、サブフレームによって区分されうる。
【００４３】
[0052]ある特定の態様によると、ネットワークは、拡張干渉協調をサポートしうるが、ここにおいて、区分情報の異なるセットが存在しうる。これらのうちの第１のものは、半静的リソース区分情報（ＳＲＰＩ：Semi-static Resource Partitioning Information）と呼ばれうる。これらのセットのうちの第２のものは、適応型リソース区分情報（ＡＲＰＩ：Adaptive Resource Partitioning information）と呼ばれうる。その名が暗示するように、ＳＲＰＩは典型的に、頻繁に変化せず、ＳＲＰＩは、ＵＥがＵＥ自体の動作のためにリソース区分情報を使用することができるようにＵＥに送られうる。
【００４４】
[0053]例として、リソース区分は、８ｍｓの周期性（８つのサブフレーム）または４０ｍｓの周期性（４０個のサブフレーム）でインプリメントされうる。ある特定の態様によると、周波数分割複信（ＦＤＤ）もまた、周波数リソースもまた区分されうるように適用されうると想定されうる。（例えば、ｅＮＢからＵＥへの）ダウンリンクの場合、区分パターンは、知られるサブフレーム（例えば、４の倍数のような、整数Ｎの倍数であるシステムフレーム番号（ＳＦＮ）値を有する各無線フレームの第１のサブフレーム）にマッピングされうる。そのようなマッピングは、特定のサブフレームのためのリソース区分情報を決定するために適用されうる。例として、ダウンリンクのための（例えば、干渉するセルによってもたらされた）協調リソース区分の対象となるサブフレームは、次のインデックスによって識別されうる。
ＩｎｄｅｘＳＲＰＩ＿ＤＬ＝（ＳＦＮ＊１０＋サブフレーム番号）ｍｏｄ８
【００４５】
[0054]アップリンクの場合、ＳＲＰＩマッピングは、例えば、４ｍｓだけシフトされうる。このように、アップリンクについての例には、以下がありうる。
ＩｎｄｅｘＳＲＰＩ＿ＵＬ＝（ＳＦＮ＊１０＋サブフレーム番号＋４）ｍｏｄ８
【００４６】
[0055]ＳＲＰＩは、エントリごとに次の３つの値を使用しうる。
・Ｕ（使用）：この値は、サブフレームが、このセルによって使用されるべき支配的な干渉からクリーンアップされていること（すなわち、主要な干渉するセルがこのサブフレームを使用しないこと）を示す。
・Ｎ（使用しない）：この値は、サブフレームが使用されないことを示す。
・Ｘ（未知）：この値は、サブフレームが静的に区分されないことを示す。基地局間でのリソース使用ネゴシエーションの詳細は、ＵＥには知られない。
【００４７】
[0056]ＳＲＰＩための別の可能なパラメータのセットには、以下がありうる。
・Ｕ（使用）：この値は、サブフレームが、このセルによって使用されるべき支配的な干渉からクリーンアップされていること（すなわち、主要な干渉するセルがこのサブフレームを使用しないこと）を示す。
・Ｎ（使用しない）：この値は、サブフレームが使用されないことを示す。
・Ｘ（未知）：この値は、サブフレームが静的に区分されないことを示す（基地局間でのリソース使用ネゴシエーションの詳細は、ＵＥには知られない）。
・Ｃ（共通）：この値は、全てのセルがリソース区分なしにこのサブフレームを使用しうることを示しうる。このサブフレームは、干渉の対象となりうるため、基地局は、厳しい干渉下にないＵＥのためにのみこのサブフレームを使用することを選択しうる。
【００４８】
[0057]サービングセルのＳＲＰＩは、無線でブロードキャストされうる。Ｅ−ＵＴＲＡＮにおいて、サービングセルのＳＲＰＩは、マスタ情報ブロック（ＭＩＢ）、またはシステム情報ブロック（ＳＩＢ）のうちの１つ内において送られうる。所定のＳＲＰＩは、セル、例えば、マクロセル、ピコセル（オープンアクセスを有する）、およびフェムトセル（クローズドアクセスを有する）の特性に基づいて定義されうる。そのようなケースにおいて、システムオーバヘッドメッセージ内におけるＳＲＰＩの符号化は、無線でのより効率的なブロードキャストをもたらしうる。
【００４９】
[0058]基地局はまた、ＳＩＢのうちの１つにおいて近隣セルのＳＲＰＩをブロードキャストしうる。この場合、ＳＲＰＩは、その対応する範囲の物理セル識別子（ＰＣＩ：physical cell identifier）を用いて送られうる。
【００５０】
[0059]ＡＲＰＩは、ＳＲＰＩ内における「Ｘ」サブフレームについての詳細情報を有するさらなるリソース区分情報を表しうる。上述されたように、「Ｘ」サブフレームについての詳細情報は典型的に、基地局にのみ知られる。
【００５１】
[0060]図５および図６は、マクロおよびフェムトセルを用いたシナリオ内において上述されたＳＲＰＩ割り当ての例を例示する。Ｕ、Ｎ、Ｘ、またはＣサブフレームは、Ｕ、Ｎ、Ｘまたは、Ｃ ＳＲＰＩ割当てに対応するサブフレームである。
【００５２】
[0061]図７は、異種ネットワーク内における範囲が拡張されたセルラ領域を例示する図７００である。ＲＲＨ７１０ｂのようなより低電力クラスのｅＮＢは、ＲＲＨ７１０ｂとマクロｅＮＢ７１０ａと間での拡張セル間干渉協調を通して、および／またはＵＥ７２０によって遂行される干渉除去を通してセルラ領域７０２から拡張された、範囲が拡張されたセルラ領域７０３を有しうる。拡張セル間干渉協調において、ＲＲＨ７１０ｂは、ＵＥ７２０の干渉条件に関するマクロｅＮＢ７１０ａからの情報を受信する。情報は、ＲＲＨ７１０ｂに、ＵＥ７２０が範囲が拡張されたセルラ領域７０３に入ると、範囲が拡張されたセルラ領域７０３内におけるＵＥ７２０をサービングし、マクロｅＮＢ７１０ａからＵＥ７２０のハンドオフを受容することを可能にする。一態様において、ＲＲＨ７１０は、ピコｅＮＢを含みうる。
【００５３】
[0062]このように、ｅＩＣＩＣ技法は、異なる電力クラスに属するセルに、異種ネットワーク内において共存し、リソースを共有することを可能にする。図７内において示されるように、ｅＩＣＩＣは、ＵＥ７２０に、ＵＥの近接において最も強いセルではないセル（ＲＲＨ７１０ｂ）からサービスを受信することを可能にし、これにより、マクロセルから比較的低電力のピコセルへのオフロードを可能にしうる。
【００５４】
[0063]ある特定の態様において、ｅＩＣＩＣ技法は、マクロｅＮＢ７１０ａがマクロセルの近接において他のセル／基地局への干渉を低減する試みにおいて送信を制限するある特定の特別なサブフレーム（例えば、アップリンクまたはダウンリンクサブフレーム）を生成するアグレッサセルｅＮＢ（例えば、マクロセルｅＮＢ７１０ａ）を含みうる。例えば、より強いマクロセルは、オールモストブランクサブフレーム（ＡＢＳ：almost blank subframe）（例えば、図６内におけるＵサブフレーム）を生成し、ＡＢＳリソースを使用してＵＥにおいてより弱いセル（例えば、ピコセル）の信号が受信されることを可能にしうる。
【００５５】
[0064]ある特定の態様において、アグレッサセル（例えば、マクロセル）のＡＢＳのパターンは典型的に、例えば、干渉が特に厳しいセル範囲拡張（ＣＲＥ）エリア内において、ビクティムｅＮＢ（例えば、ピコｅＮＢ）がこのＡＢＳリソースを使用して１つまたは複数のＵＥにサービングしうるように、ビクティムセルのｅＮＢと共有される。例えば、マクロセルおよびピコセルを含む異種ネットワークにおいて（例えば、マクロ−ピコケース）、ＡＢＳは、マクロセルによってスケジュールされ、マクロセルは、ＡＢＳリソースに関する情報を含むリソース区分情報をピコセルに通知しうる。ＡＢＳリソースはその後、ピコセルが最も強いセルではないＵＥ、例えば、ＣＲＥ領域内におけるＵＥにサービングするためにピコセルによって使用されうる。
【００５６】
[0065]ある特定のシナリオ、例えば、高ドップラの状況において、ｅＩＣＩＣは、ＵＥとピコセルとの間で適正な通信チャネルを確立するのにあまり効果的ではない可能性があり、それは、サービス中断につながりうる。このように、本開示のある特定の態様において、ＵＥがマクロアグレッサセルからの強い干渉が存在する中でＣＲＥ領域内において弱いピコセルによってサービングされるという事実に起因したサービス中断を最小限にするために、ＵＥは、ＣＲＥを避けうる。例えば、ＵＥは、強いマクロセルが存在する中で、ＣＲＥの領域内においてピコセルによってサービングされることを避けうる。
異種ネットワーク内においてセル範囲拡張（ＣＲＥ）を避けるまたは免れるための実例的な方法および装置
【００５７】
[0066]本開示のある特定の態様は、ＵＥが、例えば、既にピコセルにキャンプオン（camp on）されている場合に、タイムリーに（例えば、ＵＥがもはやビクティムセルによってサービングされておらず、より強いセル、ことによるとアグレッサセルによってサービングされうるように）ＣＲＥを去るまたは免れることを、またはＵＥが、例えば、マクロセルにキャンプオンされる場合に、（例えば、ＵＥがより強いセル、ことによるとアグレッサセルによってサービングされ続け、ビクティムセルにハンドオーバされない可能性があるように）ＣＲＥに入ることを避けることを、ＵＥに可能にする技法について論述する。マクロおよびピコセルが例示的および例証的な目的のみに対して使用され、本明細書において説明される技法が異なる電力クラスのセルからの重複しているカバレッジを有するＣＲＥのいかなる領域に対しても適用可能であることに留意されたい。
ＣＲＥを避けること
【００５８】
[0067]ある特定の態様において、ＣＲＥの領域内に存在し、マクロセルによってサービングされている間、ＵＥは、ＵＥが１つまたは複数の条件の発生を検出した場合に備えて、より低電力クラスのセル、例えば、ピコセルにハンドオーバされることを避けうる。
【００５９】
[0068]一態様において、ＵＥは、例えば、所定のドップラしきい値を上回る高ドップラを検出した場合にＣＲＥに入ることを避けうる。高ドップラは、例えば、マクロからピコにハンドオーバされた後、ＵＥが、その後にマクロにハンドバックされなければならない可能性がある非常に短い時間期間の間ピコカバレッジ内に留まりうることを意味しうる。そのような高ドップラケースにおいてＣＲＥに入ることは、ほとんど利益を提供せず、ＵＥにとって、そのような短い持続時間中にＣＲＥに入ることは避けるのが賢明でありうる。例えば、約１００ｍのピコカバレッジの場合、ＵＥが６０Ｋｍ／ｈを上回って移動している場合、ＵＥは、ＣＲＥに入ることを避けるように構成されうる。
【００６０】
[0069]一態様において、ＵＥは、近隣する強いマクロセルおよび弱いピコセルの中で大きな相対的タイミングおよび／または周波数オフセットを検出した場合にＣＲＥに入ることを避けうる。ある特定の態様において、ｅＩＣＩＣは、例えば、ＵＥに、マクロからの信号を検出し、それを除去することを可能にするために、マクロおよびピコセルの間での（例えば、時間および周波数の両方における）緊密な同期（tight synchronization）に依拠する。マクロおよびピコセルの間での大きい相対的タイミングおよび／または周波数オフセットは、マクロ信号のこの干渉除去を無効にしうる。このように、ＵＥは、例えば、所定のしきい値よりも大きい、大きなタイミングおよび／または周波数オフセットを検出した場合にピコセルにハンドオーバされることを避けるように構成されうる。
【００６１】
[0070]ある特定の態様において、ＵＥは、ＵＥの処理制限を検出した場合にＣＲＥに入ることを避けうる。例えば、ＵＥが遅延センシティブタスク（delay sensitive task）をハンドリングしている場合、例えば、ＣＲＥ領域内におけるピコセルへのハンドオーバに起因する、いかなるサービス中断も望まない可能性がある。別の例は、ＵＥがＣＲＥをハンドリングするための追加の処理のためにサイクル制限されている、および／または制限された能力あるいは帯域幅を有する場合である。ＣＲＥにおいて存在する間、ＵＥは、マクロセルによってサービングされることと比較してより処理サイクルを必要とする。このように、ＵＥがサイクル制限されており、ＣＲＥに対する余剰の処理のために割くサイクルをこれ以上有さない場合、例えば、ＣＲＥに入ることを避けうる。加えてまたは代替として、ＵＥがＣＲＥにおいて余剰の処理（例えば、干渉消去）のために利用可能である十分なハードウェアリソース(例えば、メモリ)を有さない場合、ＣＲＥに入ることを避けうる。
【００６２】
[0071]ある特定の態様において、ＵＥは、例えば、ＣＲＥの余剰の処理に順応するためにＣＲＥにおいてよりバッテリ電力を使用する。このように、ＵＥは、ＵＥのバッテリ電力が低いことを検出した場合にＣＲＥに入ることを避けるように構成されうる。
【００６３】
[0072]ある特定の態様において、上記で説明された条件のうちの１つまたは複数を検出したことに応答して、ＵＥは、ＣＲＥに入ることを避けるために１つまたは複数の行動を取り、例えば、ピコセルにハンドオーバされることを控えうる。一般的に、ＵＥがＣＲＥ領域内においてピコセルにハンドオーバするであろうかどうかの決定は、ネットワーク端（network end）（例えば、マクロセル）においてなされる。このように、ＵＥは、ネットワークがピコセルにＵＥをハンドオーバしないように１つまたは複数の行動を取る必要がありうる。
【００６４】
[0073]ある特定の態様において、ＵＥは、弱いピコセルを示すために人為的に低いＲＳＲＰ（基準信号受信電力）および／またはＲＳＲＱ（基準信号受信品質）をレポートしうる。例えば、ＵＥは、ピコセルに関する実際のＲＳＲＰ測定値よりも低いピコセルに関するＲＳＲＰをレポートしうる。一態様において、ＵＥは、ネットワークがピコセルにＵＥをハンドオーバしないと決定するように、例えば、所定のしきい値を下回る十分に低いピコセルに関するＲＳＲＰをレポートしうる。例えば、ＵＥがマクロに関する１００ｄＢおよびピコに関する９５ｄＢのＲＳＲＰを測定し、ピコに関する実際の測定値をレポートする場合、マクロは、ピコにＵＥをハンドオーバする可能性が高い。しかしながら、ＵＥが上記で説明された条件のうちの１つまたは複数に基づいてピコにハンドオーバしないと決定した場合、ピコセルにハンドオーバされる可能性を避けるために実際の測定値、例えば、６０ｄＢよりも小さいピコＲＳＲＰの値をレポートしうる。
【００６５】
[0074]ある特定の態様において、ＵＥがピコセルを検出することができる場合であっても、ＵＥは、（例えば、まるでピコセルが検出されなかったかのように）ピコセルに関するいかなる測定値もレポートしない可能性がある。一態様において、ＵＥがピコセルに関する測定値をレポートしない限り、ピコセルにハンドオーバされない可能性がある。
ＣＲＥを免れること
【００６６】
[0075]ある特定の態様において、ＣＲＥの領域内に存在し、ピコセルによってサービングされている間、ＵＥは、ＵＥが１つまたは複数の条件の発生を検出した場合に備えて、より高電力クラスのセル、例えば、マクロセルにハンドオーバするように試みうる。
【００６７】
[0076]一態様において、ＵＥは、ＣＲＥにおいて存在する間、例えば、所定のドップラしきい値を上回る高ドップラを検出した場合にＣＲＥを去るように試みうる。高ドップラケースにおいてＣＲＥに留まることは、ほとんど利益を提供せず、ＵＥにとって、可能な限り早くＣＲＥを去ることが賢明でありうる。
【００６８】
[0077]一態様において、ＵＥは、近隣する強いマクロセルおよび弱いサービングピコセルの中で大きな相対的タイミングおよび／または周波数オフセットを検出した場合にＣＲＥを去るように試みうる。上述されたように、マクロおよびピコセルの間での大きい相対的タイミングおよび／または周波数オフセットは、マクロ信号の干渉除去を無効にしうる。このように、ＵＥは、例えば、所定のしきい値よりも大きい、大きなタイミングおよび／または周波数オフセットを検出した場合にＣＲＥを去り、マクロセルにハンドオーバするように構成されうる。
【００６９】
[0078]ある特定の態様において、ＵＥは、ＲＬＭ（無線リンクモニタリング）ＳＮＲが特定のしきい値を下回る場合にＣＲＥを去るように試みうる。一態様において、このしきい値は、無線リンク障害（ＲＬＦ）しきい値よりも大きく設定されうる。ＵＥは、ＲＬＦしきい値よりも若干高い、例えば、ＲＬＦしきい値よりも５〜１０ｄｂ高い、ＲＬＭ ＳＮＲしきい値を局所的に維持しうる。
【００７０】
[0079]ある特定の態様において、ＵＥはまた、上述されたようなＵＥ処理制限および／または低バッテリ電力を検出した場合にＣＲＥを去るように試みうる。
【００７１】
[0080]ある特定の態様において、上記で説明された条件のうちの１つまたは複数を検出したことに応答して、ＵＥは、ＣＲＥを去るために１つまたは複数の行動を取りうる、例えば、マクロセルにハンドオーバしうる。
【００７２】
[0081]ある特定の態様において、ＵＥは、より強いマクロセルに対するハンドオーバをトリガするために弱いサービングピコセルを示すよう人為的に低いＲＳＲＰ（基準信号受信電力）および／またはＲＳＲＱ（基準信号受信品質）をレポートしうる。例えば、ＵＥは、ピコセルに関する実際のＲＳＲＰ測定値よりも低いピコセルに関するＲＳＲＰをレポートしうる。一態様において、ＵＥは、ネットワークがマクロセルにＵＥをハンドオーバすると決定するように、例えば、所定のしきい値を下回る十分に低いサービングピコセルに関するＲＳＲＰをレポートしうる。
【００７３】
[0082]ある特定の態様において、ＵＥは、例えば、ＲＬＭ ＳＮＲが上述された内部しきい値を下回ると検出された場合、ＲＬＦプロシージャを開始し、より強いセル（例えば、マクロセル）をそのサービングセルとして再選択しうる。
【００７４】
[0083]ある特定の態様において、ＵＥは、より強いセル（例えば、マクロセル）をそのサービングセルとして選択するために、自律的にＲＲＣ＿ＩＤＬＥ状態に切り替わり、ＵＥ制御されたモビリティプロシージャにしたがいうる。
【００７５】
[0084]図８は、本開示のある特定の態様にしたがって、セル範囲拡張を避けるおよび／または免れるために、ＵＥによって遂行されうる実例的な動作８００を例示する。動作８００は、８０２では、ＵＥが第１の電力クラスタイプの第１のセルから第２の電力クラスタイプの第２のセルにハンドオーバされうるＣＲＥの領域内にＵＥが存在する間に１つまたは複数の条件の発生を検出することによって開始しえ、ここにおいて、第２の電力クラスタイプは、第１の電力クラスタイプよりも低い。８０４では、ＵＥは、検出に応答して第２のセルによってサービングされることを停止する、または第２のセルにハンドオーバされることを避けるために行動を取りうる。
【００７６】
[0085]ある特定の態様において、１つまたは複数の条件の発生を検出することは、しきい値を上回るＵＥのモビリティのうちの少なくとも１つを検出すること、しきい値を上回る第１および第２のセルの間での相対的タイミングオフセットを検出すること、しきい値を上回る第１および第２のセルの間での相対的周波数オフセットを検出すること、ＵＥの処理制限に関連する条件を検出すること、ＵＥの電力制限に関連する条件を検出すること、またはしきい値を下回るＲＬＭ ＳＮＲを検出することを含みうる。一態様において、ＵＥは、ＵＥが遅延センシティブタスクをハンドリングしていることを検出しうる。
【００７７】
[0086]ある特定の態様において、行動を取ることは、第２のセルに関する人為的に低いＲＳＲＰをレポートすること、第２のセルに関する人為的に低いＲＳＲＱをレポートすること、第２のセルの測定値をレポートすることを控えること、第２のセル内においてＲＬＦプロシージャを開始すること、または第２のセル内においてＲＲＣアイドル状態に入ることのうちの少なくとも１つを含みうる。
【００７８】
[0087]図９は、本開示のある特定の態様にしたがって、回避をインプリメントするおよび／またはセル範囲拡張を免れるための実例的なシステム９００を例示する。
【００７９】
[0088]システム９００は、マクロｅＮＢ９１０、ピコｅＮＢ９５０、およびマクロｅＮＢ９１０とピコｅＮＢ９５０との両方と通信することが可能な少なくとも１つのＵＥ９２０を含みうる。ある特定の態様において、ＵＥは、マクロｅＮＢ９１０からの重複するカバレッジをまた有するピコｅＮＢ９５０のＣＲＥ領域内に位置付けられうる。
【００８０】
[0089]ＵＥ９２０は、ドップラ検出器９２６、タイミングオフセット検出器９３２、周波数オフセット検出器９３８、ＲＬＭユニット９４０、レポーティングユニット９２８およびセル再選択ユニット９３０を含む様々なモジュールを含み、全ては、コントローラ／プロセッサ９３４に結合されうる。コントローラ／プロセッサ９３４はさらに、トランシーバ（Ｔｘ／Ｒｘ）９２４およびメモリ９３６に結合されうる。一態様において、コントローラ／プロセッサ９３４は、ＵＥ９２０のモジュールの各々の動作を制御するように構成されうる。例えば、コントローラ／プロセッサ９３４は、ＵＥ９２０の１つまたは複数のモジュールから入力信号を受信し、例えば、メモリ９３６内において記憶された命令およびデータに基づいて、これらの信号を処理し、ある特定の動作を遂行または所望の信号を出力するために１つまたは複数のモジュールを制御するように構成されうる。マクロｅＮＢ９１０およびピコｅＮＢ９５２は、それらのそれぞれのアンテナ９１２および９５２を介して信号を送信および受信することによってＵＥ９２０と通信しうる。トランシーバ９２４は、アンテナ９２２を介して信号を受信または送信するように構成されうる。一態様において、メモリ９３６は、ピコｅＮＢ９５２のＣＲＥ領域を避けるおよび／または免れるために、１つまたは複数の動作を遂行するためにコントローラ／プロセッサ９３４によってアクセス可能およびインプリメント可能である命令を記憶しうる。ＵＥモジュールの各々は例示的および例証的な目的のみのために別個のユニットとして例示され、ＵＥモジュールのうちの１つまたは複数は組み合されうることが理解されうる。
【００８１】
[0090]一態様において、ドップラ検出器は、ＵＥ９２０のドップラを測定し、コントローラ／プロセッサ９３４に測定されたドップラ値を（例えば、周期的にまたは要求に応じて）レポートしうる。タイミングオフセット検出器９３２および周波数オフセット検出器９３８は、マクロｅＮＢ９１０とピコｅＮＢ９５０との間でそれぞれ相対的タイミングおよび周波数オフセットを測定し、コントローラ／プロセッサ９３４にそれぞれ測定されたタイミングオフセット値および測定された周波数オフセット値を（例えば、周期的にまたは要求に応じて）レポートしうる。ＲＬＭユニット９４０は、ピコｅＮＢ９５０とＵＥ９２０との間での無線リンクをモニタし、ＲＬＭ ＳＮＲを測定し、コントローラ／プロセッサ９３４にＲＬＭ ＳＮＲの値を（例えば、周期的にまたは要求に応じて）レポートしうる。
【００８２】
[0091]ある特定の態様において、上記で説明されたように、ＣＲＥの領域内に存在し、マクロｅＮＢ９１０によってサービングされている間、ＵＥ９２０は、１つまたは複数の条件の発生を検出した場合にピコｅＮＢ９５０にハンドオーバされることを避けうる。加えてまたは代替として、同じく上記で説明されたように、ＣＲＥの領域内に存在し、ピコｅＮＢ９５０によってサービングされている間、ＵＥ９２０は、１つまたは複数の条件の発生を検出した場合にマクロｅＮＢ９１０にハンドオーバするように試みうる。例えば、コントローラ／プロセッサ９３４は、しきい値より高い測定されたドップラ、しきい値より高い測定された相対的タイミングオフセット、およびしきい値より高い測定された相対的周波数オフセットを含む条件のうちの１つまたは複数を検出した場合、ＵＥはピコｅＮＢ９５０にハンドオーバされることを避けなければならない、またはマクロｅＮＢ９１０にハンドオーバしなければならないと決定しうる。加えてまたは代替として、コントローラ／プロセッサ９３４は、遅延センシティブタスク、および遅延センシティブタスクの処理がＵＥ９２０での処理制限に起因して許容可能なレベルを超えて遅延されうるかどうか、を検出するように構成されうる。コントローラ／プロセッサ９３４は、ＵＥ９２０上における処理負荷を和らげるために、ＵＥはピコｅＮＢ９５０にハンドオーバされることを避けなければならない、またはマクロｅＮＢ９１０にハンドオーバしなければならないと決定しうる。加えてまたは代替として、コントローラ／プロセッサ９３４は、ＵＥ９２０での低バッテリ電力状態を検出し、バッテリ電力を節約するためにピコｅＮＢ９５０へのハンドオーバを避ける、またはマクロｅＮＢ９１０にＵＥ９２０をハンドオーバすると決定するように構成されうる。加えてまたは代替として、ＣＲＥ領域内においてピコｅＮＢ９５０よってサービングされている間、コントローラ／プロセッサ９３４は、測定されたＲＬＭ ＳＮＲがしきい値を下回ったことを検出した場合、マクロｅＮＢ９１０にＵＥ９２０をハンドオーバすると決定しうる。
【００８３】
[0092]ある特定の態様において、コントローラ／プロセッサは、上記で説明された１つまたは複数の条件を検出することに応答して、ピコセルｅＮＢ９５０によってサービングされることを停止する、またはピコｅＮＢ９５０へのハンドオーバを避けるために、１つまたは複数の行動を取ると決定しうる。例えば、ＵＥはピコセルｅＮＢ９５０にハンドオーバされることを避けなければならない、またはＵＥはマクロｅＮＢ９１０にハンドオーバしなければならないと決定すると、コントローラ／プロセッサ９３４は、トランシーバ９２４に、ピコｅＮＢ９５０に関する人為的に低いＲＳＲＰ／ＲＳＲＱをレポートすること、またはピコｅＮＢ９５０に関する測定値を報告することを全く控えることを指示しうる。さらに、コントローラ／プロセッサ９３４は、ピコｅＮＢ９５０に対してＲＬＦプロシージャを開始しうる、またはピコｅＮＢ９５０によってサービングされたピコセル内においてＲＲＣアイドル状態に入りうる。
【００８４】
[0093]上記で説明された方法の様々な動作は、対応する機能を遂行することが可能な任意の適した手段によって遂行されうる。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含みうる。
【００８５】
[0094]当業者は、情報および信号が様々な異なる技術ならびに技法のいずれかを使用して表されうることを理解するであろう。例えば、上記の説明全体にわたって参照されうるデータ、命令、コマンド、情報、信号、ビット、シンボル、およびチップは、電圧、電流、電磁波、磁場または磁性粒子、光場または光粒子、あるいはそれらの任意の組み合わせによって表されうる。
【００８６】
[0095]当業者はさらに、本明細書における開示に関連して説明された様々な例示的な論理ブロック、モジュール、回路、およびアルゴリズムステップが電子ハードウェア、コンピュータソフトウェア、または両方の組み合わせとしてインプリメントされうることを認識するであろう。ハードウェアおよびソフトウェアのこの互換性を明確に例示するために、様々な例示的なコンポーネント、ブロック、モジュール、回路、およびステップが、概してそれらの機能性の観点から上記で説明されてきた。そのような機能性がハードウェアまたはソフトウェアとしてインプリメントされるかどうかは、特定のアプリケーションおよびシステム全体に課せられる設計制約に依存する。当業者は、説明された機能を特定のアプリケーションごとに様々な方法でインプリメントしうるが、そのようなインプリメンテーションの決定は、本開示の範囲からの逸脱を引き起こしていると解釈されるべきではない。
【００８７】
[0096]本明細書における開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、または本明細書において説明された機能を遂行するように設計されたそれらの任意の組み合わせを用いてインプリメントまたは遂行されうる。汎用プロセッサは、マイクロプロセッサでありうるが、代替において、プロセッサは、任意の従来のプロセッサ、コントローラ、マイクロコントローラ、またはステートマシンでありうる。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、または任意の他のそのような構成としてインプリメントされうる。
【００８８】
[0097]本明細書における開示に関連して説明された方法またはアルゴリズムのステップは、直接ハードウェア内において、プロセッサによって実行されたソフトウェアモジュール内において、または２つの組み合わせにおいて具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術において知られる任意の他の形態の記憶媒体内において存在しうる。例証的な記憶媒体は、プロセッサが記憶媒体から情報を読み取る、および／または、記憶媒体に情報を書き込むことができるように、プロセッサに結合される。代替において、記憶媒体は、プロセッサと一体化されうる。プロセッサおよび記憶媒体は、ＡＳＩＣ内において存在しうる。ＡＳＩＣは、ユーザ端末内において存在しうる。代替において、プロセッサおよび記憶媒体は、ユーザ端末内において離散コンポーネントとして存在しうる。
【００８９】
[0098]１つまたは複数の例証的な設計において、説明された機能は、ハードウェア、ソフトウェア、ファームウェア、またはそれらの任意の組み合わせにおいてインプリメントされうる。ソフトウェア内においてインプリメントされる場合、機能は、コンピュータ可読媒体上における１つまたは複数の命令またはコードとして記憶または送信されうる。コンピュータ可読媒体は、コンピュータ記憶媒体と１つの場所から別の場所へのコンピュータプログラムの転送を容易にする任意の媒体を含む通信媒体との両方を含む。記憶媒体は、汎用または特殊用途コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、もしくは汎用または特殊用途プロセッサによってアクセスされることができる任意の他の媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここにおいて、ディスク（disk）は通常、磁気的にデータを再生するが、その一方でディスク（disc）は、レーザーを用いて光学的にデータを再生する。上記の組み合わせはまた、コンピュータ可読媒体の範囲内に含まれるべきである。
【００９０】
[0099]本明細書で使用される場合、項目のリスト「のうちの少なくとも１つ」を指す表現は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【００９１】
[0100]本開示の先の説明は、当業者が本開示を製造または使用することを可能にするために提供される。本開示に対する様々な修正は、当業者にとって容易に明らかとなり、本明細書において定義された包括的な原理は、本開示の精神または範囲から逸脱することなしに他の変形例に適用されうる。したがって、本開示は、本明細書において説明された例および設計に限定されるように意図されず、本明細書において開示された原理および新規の特徴と一致する最も幅広い範囲が付与されるべきである。
【図１】
2016530813.tif 000003
【図２】
2016530813.tif 000004
【図２Ａ】
2016530813.tif 000005
【図３】
2016530813.tif 000006
【図４】
2016530813.tif 000007
【図５】
2016530813.tif 000008
【図６】
2016530813.tif 000009
【図７】
2016530813.tif 000010
【図８】
2016530813.tif 000011
【図９】
2016530813.tif 000012
【国際調査報告】
2016530813.tif 000013
2016530813.tif 000014